(57)【要約】      （修正有）【課題】複数を積み重ねて使用する際の安定性に優れる箱体を組み立てられる箱用シートを提供する。【解決手段】左右方向に交互に連接され、四角筒状に組み立てられる一対の長さ面パネル１及び一対の幅面パネル２と、一対の長さ面パネルの上縁から延出する一対の第１蓋フラップ３と、一対の幅面パネルの上縁から延出する一対の第２蓋フラップ４とを備え、箱型に組立可能な箱用シートであって、一対の第１蓋フラップが有する第１折り曲げ容易線３１及び一対の第２蓋フラップが有する第２折り曲げ容易線４１が、第１直線部３１ａと、接続部３１ｂと、第２直線部３１ｃとを左右方向一方側から他方側へこの順に連続して備え、第２直線部が第１直線部より上縁側に位置し、第１蓋フラップの第１直線部の長さが第２蓋フラップの高さの１倍以上１．２倍以下であり、第２蓋フラップの第１直線部の長さが第１蓋フラップの高さの１倍以上１．２倍以下である。【選択図】図１
0003223812.tif 000002
【実用新案登録請求の範囲】
【請求項１】
１枚のシート材から形成され、
左右方向に交互に連接され、四角筒状に組み立てられる一対の長さ面パネル及び一対の幅面パネルと、
上記一対の長さ面パネルの上縁から延出する一対の第１蓋フラップと、
上記一対の幅面パネルの上縁から延出する一対の第２蓋フラップと
を備え、箱型に組立可能な箱用シートであって、
上記一対の第１蓋フラップが上記一対の長さ面パネルとの境界を画定する第１折り曲げ容易線を有し、
上記一対の第２蓋フラップが上記一対の幅面パネルとの境界を画定する第２折り曲げ容易線を有し、
上記第１折り曲げ容易線及び上記第２折り曲げ容易線が、第１直線部と、接続部と、第２直線部とを左右方向一方側から他方側へこの順に連続して備え、
上記第２直線部が上記第１直線部より上縁側に位置し、
上記第１蓋フラップの第１直線部の長さが上記第２蓋フラップの高さの１倍以上１．２倍以下であり、
上記第２蓋フラップの第１直線部の長さが上記第１蓋フラップの高さの１倍以上１．２倍以下である箱用シート。
【請求項２】
上記第１直線部及び上記第２直線部の段差が上記シート材の厚さの０．８倍以上１．２倍以下である請求項１に記載の箱用シート。
【請求項３】
上記接続部が左右方向に対して傾斜を有する直線である請求項１又は請求項２に記載の箱用シート。
【請求項４】
上記一対の第１蓋フラップが上記第１折り曲げ容易線と同形状かつ並列する第３折り曲げ容易線を有し、
上記一対の第２蓋フラップが上記第２折り曲げ容易線と同形状かつ並列する第４折り曲げ容易線を有し、
上記一対の第１蓋フラップの上記第１折り曲げ容易線と上記第３折り曲げ容易線との間隔、及び上記一対の第２蓋フラップの上記第２折り曲げ容易線と上記第４折り曲げ容易線との間隔が全て等しい請求項１、請求項２又は請求項３に記載の箱用シート。
【請求項５】
上記第３折り曲げ容易線及び上記第４折り曲げ容易線が間隔を空けて配設される複数の切断線によって形成されるミシン目である請求項４に記載の箱用シート。
【考案の詳細な説明】
【技術分野】
【０００１】
本考案は、箱用シートに関する。
【背景技術】
【０００２】
野菜や果物といった青果は、段ボールシートから形成され、上部に開口を有する箱に収容して輸送及び保管されることが多い。
【０００３】
このような上部に開口を有する箱としては、長側壁、短側壁、長側壁、短側壁の順に折線を介して連設され、各長側壁の上辺に上蓋フラップが設けられ、各短側壁の上辺に差込片を有する紙製の矩形輸送ケースが公知である（実用新案登録第３１７１８１３号公報参照）。この従来の矩形輸送ケースでは、各差込片に上蓋固定フラップが連設されており、この上蓋固定フラップを、上蓋フラップに設けられている差込孔に差し込み係合して上蓋を固定する。
【先行技術文献】
【特許文献】
【０００４】
【特許文献１】実用新案登録第３１７１８１３号公報
【考案の概要】
【考案が解決しようとする課題】
【０００５】
上記従来の矩形輸送ケースでは、このように上蓋を固定するため、上蓋フラップの表面に差込片が位置し、差込片の表面と上蓋フラップの露出する表面との間に段差が生じる。このため、上記従来の矩形輸送ケースでは、複数の矩形輸送ケースを積み重ねて用いる際に、この段差により特に上段に重ねられる矩形輸送ケースが不安定となる場合がある。
【０００６】
本考案は、このような事情に鑑みてなされたものであり、複数を積み重ねて使用する際の安定性に優れる箱体を組み立てられる箱用シートの提供を課題とする。
【課題を解決するための手段】
【０００７】
本考案の箱用シートは、１枚のシート材から形成され、左右方向に交互に連接され、四角筒状に組み立てられる一対の長さ面パネル及び一対の幅面パネルと、上記一対の長さ面パネルの上縁から延出する一対の第１蓋フラップと、上記一対の幅面パネルの上縁から延出する一対の第２蓋フラップとを備え、箱型に組立可能な箱用シートであって、上記一対の第１蓋フラップが上記一対の長さ面パネルとの境界を画定する第１折り曲げ容易線を有し、上記一対の第２蓋フラップが上記一対の幅面パネルとの境界を画定する第２折り曲げ容易線を有し、上記第１折り曲げ容易線及び上記第２折り曲げ容易線が、第１直線部と、接続部と、第２直線部とを左右方向一方側から他方側へこの順に連続して備え、上記第２直線部が上記第１直線部より上縁側に位置し、上記第１蓋フラップの第１直線部の長さが上記第２蓋フラップの高さの１倍以上１．２倍以下であり、上記第２蓋フラップの第１直線部の長さが上記第１蓋フラップの高さの１倍以上１．２倍以下である。
【考案の効果】
【０００８】
本考案の箱用シートは、複数を積み重ねて使用する際の安定性に優れる箱体を組み立てられる。
【図面の簡単な説明】
【０００９】
【図１】図１は、本考案の一態様に係る箱用シートを示す模式的平面図（展開図）である。
【図２】図２は、図１の箱用シートを第１折り曲げ容易線及び第２折り曲げ容易線に沿って折り曲げて組み立てた箱体を示す模式的斜視図である。
【図３】図３は、図２の箱体を長さ面パネル側から見た模式的部分拡大図である。
【図４】図４は、図１の箱用シートを第３折り曲げ容易線及び第４折り曲げ容易線に沿って折り曲げて組み立てた箱体を示す模式的斜視図である。
【図５】図５は、図４の箱体を長さ面パネル側から見た模式的部分拡大図である。
【考案を実施するための形態】
【００１０】
［本考案の実施形態の説明］
最初に本発明の実施態様を列記して説明する。
【００１１】
本考案の一態様に係る箱用シートは、１枚のシート材から形成され、左右方向に交互に連接され、四角筒状に組み立てられる一対の長さ面パネル及び一対の幅面パネルと、上記一対の長さ面パネルの上縁から延出する一対の第１蓋フラップと、上記一対の幅面パネルの上縁から延出する一対の第２蓋フラップとを備え、箱型に組立可能な箱用シートであって、上記一対の第１蓋フラップが上記一対の長さ面パネルとの境界を画定する第１折り曲げ容易線を有し、上記一対の第２蓋フラップが上記一対の幅面パネルとの境界を画定する第２折り曲げ容易線を有し、上記第１折り曲げ容易線及び上記第２折り曲げ容易線が、第１直線部と、接続部と、第２直線部とを左右方向一方側から他方側へこの順に連続して備え、上記第２直線部が上記第１直線部より上縁側に位置し、上記第１蓋フラップの第１直線部の長さが上記第２蓋フラップの高さの１倍以上１．２倍以下であり、上記第２蓋フラップの第１直線部の長さが上記第１蓋フラップの高さの１倍以上１．２倍以下である。
【００１２】
当該箱用シートは、組立時に第１折り曲げ容易線及び第２折り曲げ容易線で第１蓋フラップ及び第２蓋フラップをそれぞれ折り曲げると、第１直線部で凹みができる。第１直線部の長さが上記範囲内であるので、この凹みに、隣接する第２蓋フラップ又は第１蓋フラップの他方側が重なる。従って、この重なった部分が、その下側に位置する第１蓋フラップ及び第２蓋フラップの第２直線部より突出することが抑止されるから、第１蓋フラップ及び第２蓋フラップにより構成される上蓋の平坦性が向上する。このため、当該箱用シートは、組み立てられる複数の箱体を積み重ねた際の安定性に優れる。
【００１３】
上記第１直線部及び上記第２直線部の段差としては、上記シート材の厚さの０．８倍以上１．２倍以下が好ましい。このように上記段差を上記範囲内とすることで、組立時の上蓋の平坦性がさらに向上する。
【００１４】
上記接続部が左右方向に対して傾斜を有する直線であるとよい。このように上記接続部を左右方向に対して傾斜を有する直線とすることで、第１蓋フラップ及び第２蓋フラップを折り曲げ易くすることができる。
【００１５】
上記一対の第１蓋フラップが上記第１折り曲げ容易線と同形状かつ並列する第３折り曲げ容易線を有し、上記一対の第２蓋フラップが上記第２折り曲げ容易線と同形状かつ並列する第４折り曲げ容易線を有し、上記一対の第１蓋フラップの上記第１折り曲げ容易線と上記第３折り曲げ容易線との間隔、及び上記一対の第２蓋フラップの上記第２折り曲げ容易線と上記第４折り曲げ容易線との間隔が全て等しいとよい。当該箱用シートが上述の構成を有する第３折り曲げ容易線及び第４折り曲げ容易線を有することで、第１折り曲げ容易線及び第２折り曲げ容易線で折り曲げる場合と、第３折り曲げ容易線及び第４折り曲げ容易線で折り曲げる場合とで異なる高さの箱体を組み立てることができる。従って、例えば野菜のような収容物の大きさが一定しない場合であっても、箱体の高さを変更することによって比較的容易に収容することができる。
【００１６】
上記第３折り曲げ容易線及び上記第４折り曲げ容易線が間隔を空けて配設される複数の切断線によって形成されるミシン目であるとよい。このように上記第３折り曲げ容易線及び上記第４折り曲げ容易線をミシン目とすることで、これらを折り曲げず上蓋を構成する場合の強度を確保しつつ、上記第３折り曲げ容易線及び上記第４折り曲げ容易線を折り曲げる場合には折り曲げ易くすることができる。
【００１７】
なお、本考案において、「左右方向」とは、箱用シートを組み立ててなる箱体の想定される一般的な使用態様における水平方向を意味し、「上」及び「下」とは、想定される一般的な使用態様における上下を意味するが、上記箱体の使用時の向きを制限することを企図するものではない。また、「第１蓋フラップの高さ」及び「第２蓋フラップの高さ」とは、第２直線部から上縁へ至る長さを指すものとする。
【００１８】
［本考案の実施形態の詳細］
以下、本考案の一実施形態に係る箱用シートについて適宜図面を参照しつつ説明する。
【００１９】
本考案の一実施形態に係る箱用シートは、図１に示すように、１枚のシート材から形成され、箱型に組立可能である。なお、図１において、太い実線はシート材を切断した切断線を示し、細い実線はシート材に筋押しして形成される罫線を示す。
【００２０】
当該箱用シートを形成するシート材としては、例えば段ボールシートを用いることができる。上記ダンボールシートとしては、１枚の中芯の両側を一対のライナーで挟み込んだものだけでなく、３枚のライナーの間にそれぞれ中芯が挟み込まれたいわゆるダブルフルートであってもよく、あるいは中芯の片側にのみライナーが貼着されたいわゆる片面段ボールであってもよい。
【００２１】
上記シート材の厚さの下限としては、強度の観点から、３ｍｍが好ましい。一方、シート材の厚さの上限としては、特に限定されないが、箱体への組立の容易性から８ｍｍが好ましい。
【００２２】
当該箱シートは、図１に示すように、左右方向（図１ではｘ方向）に交互に連接され、四角筒状に組み立てられる一対の長さ面パネル１及び一対の幅面パネル２と、一対の長さ面パネル１の上縁から延出する一対の第１蓋フラップ３と、一対の幅面パネル２の上縁から延出する一対の第２蓋フラップ４と、一対の長さ面パネル１の下縁から延出する一対の第１底フラップ５と、一対の幅面パネル２の下縁から延出する一対の第２底フラップ６と、一方の側端に配設される長さ面パネル１の側縁から延出する糊代部７とを備える。
【００２３】
＜長さ面パネル及び幅面パネル＞
長さ面パネル１と幅面パネル２とは略方形状である。また、一対の長さ面パネル１は同等の大きさとされ、一対の幅面パネル２は同等の大きさとされる。
【００２４】
長さ面パネル１の上下方向長さ（図１のｙ方向の長さ）と、幅面パネル２の上下方向長さとは等しい。また、長さ面パネル１の左右方向長さ（図１のｘ方向の長さ）は、幅面パネル２の左右方向長さ以上である。
【００２５】
なお、長さ面パネル１及び幅面パネル２の上下方向長さ、長さ面パネル１の左右方向の長さ、並びに幅面パネル２の左右方向の長さは、当該箱用シートにより組み立てられる箱体に収容が想定される収容物の大きさや個数に対応できるように適宜決定される。
【００２６】
＜第１蓋フラップ＞
一対の第１蓋フラップ３は、それぞれ略方形状であり、同等の大きさとされる。
【００２７】
一対の第１蓋フラップ３の高さ（延出方向の長さで、図１のｙ方向の長さ）は、幅面パネル２の幅の１／２未満とされる。このように第１蓋フラップ３の高さを幅面パネル２の幅の１／２未満とすることで、当該箱用シートにより組み立てられる箱体が、図２に示すように、一対の第１蓋フラップ３の間に開口８を有する構成とできる。
【００２８】
開口８の幅の下限としては、幅面パネル２の幅の０．２倍が好ましく、０．３倍がより好ましい。一方、開口８の幅の上限としては、幅面パネル２の幅の０．５倍が好ましく、０．４倍がより好ましい。開口８の幅が上記下限未満であると、開口８の面積が狭くなるため、収容物に対する通気性等に支障をきたすおそれがある。逆に、開口８の幅が上記上限を超えると、第１蓋フラップ３及び第２蓋フラップ４により形成される上蓋面が小さくなり過ぎ、当該箱用シートにより組み立てられる箱体を上下に積み重ねて使用することが困難となるおそれや、開口８が大きくなり過ぎて収容物が落下するおそれがある。なお、開口８の幅は（幅面パネル２の幅）−２×（第１蓋フラップ３の高さ）で与えられる。また、開口８の幅は、上述のように第１蓋フラップ３の高さで調整できる。
【００２９】
一対の第１蓋フラップ３は、一対の長さ面パネル１との境界を画定する第１折り曲げ容易線３１と、第１折り曲げ容易線３１と同形状かつ並列する第３折り曲げ容易線３２とを有する。
【００３０】
（第１折り曲げ容易線）
第１折り曲げ容易線３１は、罫線であるとよい。このように第１折り曲げ容易線３１を罫線とすることで、第１蓋フラップ３を容易に折り曲げることができる。
【００３１】
第１折り曲げ容易線３１は、図１に示すように、第１直線部３１ａと、接続部３１ｂと、第２直線部３１ｃとを左右方向一方側から他方側へこの順に連続して備える。また、第２直線部３１ｃは、第１直線部３１ａより第１蓋フラップ３の上縁側に位置する。
【００３２】
第１直線部３１ａは、第１蓋フラップ３の左右方向一方側の端辺の基端を起点とし、左右方向に延びる。
【００３３】
第１蓋フラップ３の第１直線部３１ａの長さの下限としては、第２蓋フラップ４の高さの１倍であり、１．０５倍がより好ましい。一方、第１直線部３１ａの長さの上限としては、第２蓋フラップ４の高さの１．２倍であり、１．１倍がより好ましい。当該箱用シートは、組立時に第１折り曲げ容易線３１で第１蓋フラップ３が折り曲げられる。この時、第２直線部３１ｃが第１直線部３１ａより第１蓋フラップ３の上縁側に位置するので、図３に示すように、第１直線部３１ａが第２直線部３１ｃより下方に位置し、凹みができる。この凹みに、上記一方側に隣接する第２蓋フラップ４の他方側が重なる。このため、第１直線部３１ａの長さが上記下限未満であると、この第１蓋フラップ３に重なる第２蓋フラップ４の表面が第２直線部３１ｃより上方に突出し、第１蓋フラップ３及び第２蓋フラップ４により構成される上蓋の平坦性が不足するおそれがある。逆に、第１直線部３１ａの長さが上記上限を超えると、第１直線部３１ａにより生じる上記凹みのうち、第２蓋フラップ４と重ならない部分の面積が増加するため、上記上蓋の平坦性が不足するおそれがある。
【００３４】
接続部３１ｂは、第１直線部３１ａの上記他方側の端点と、第２直線部３１ｃの上記一方側の端点とを結ぶ。
【００３５】
接続部３１ｂは、左右方向に対して傾斜を有する直線であるとよい。このように接続部３１ｂを左右方向に対して傾斜を有する直線とすることで、第１蓋フラップ３を折り曲げ易くすることができる。
【００３６】
接続部３１ｂの左右方向の長さの下限としては、５ｍｍが好ましく、１０ｍｍがより好ましい。一方、接続部３１ｂの左右方向の長さの上限としては、３０ｍｍが好ましく、２０ｍｍがより好ましい。接続部３１ｂの左右方向の長さが上記下限未満であると、接続部３１ｂの傾斜により第１蓋フラップ３を折り曲げ易くする効果が不足するおそれがある。逆に、接続部３１ｂの左右方向の長さが上記上限を超えると、この接続部３１ｂは第２直線部３１ｃと平行とならない部分であるため、その面積が大きくなり、上記上蓋の平坦性が不足するおそれがある。
【００３７】
第２直線部３１ｃは、接続部３１ｂの上記他方側の端点と第１蓋フラップ３の上記他方側の端辺とを結ぶ直線である。第２直線部３１ｃは、第１直線部３１ａと平行であり、上述のように、第１直線部３１ａより第１蓋フラップ３の上縁側に位置している。つまり、第１直線部３１ａと第２直線部３１ｃとの間には段差がある。
【００３８】
第１直線部３１ａ及び第２直線部３１ｃの段差の下限としては、０．８倍が好ましく、０．９倍がより好ましい。一方、上記段差の上限としては、１．２倍が好ましく、１．１倍がより好ましい。上記段差が上記下限未満であると、この第１蓋フラップ３に重なる第２蓋フラップ４の表面が第２直線部３１ｃより上方に突出し、上記上蓋の平坦性が不足するおそれがある。逆に、上記段差が上記上限を超えると、第２直線部３１ｃが、この第１蓋フラップ３に重なる第２蓋フラップ４の表面より上方に位置することとなり、上記上蓋の平坦性が不足するおそれがある。
【００３９】
（第３折り曲げ容易線）
第３折り曲げ容易線３２は、罫線とすることもできるが、間隔を空けて配設される複数の切断線によって形成されるミシン目であるとよい。このように第３折り曲げ容易線３２をミシン目とすることで、第３折り曲げ容易線３２を折り曲げず上蓋を構成する場合の強度を確保しつつ、第３折り曲げ容易線３２を折り曲げる場合には折り曲げ易くすることができる。第１折り曲げ容易線３１を罫線とし、第３折り曲げ容易線３２をミシン目とする場合、切断線間は罫線により結ばれるが、第３折り曲げ容易線３２の罫線は、第１折り曲げ容易線３１の罫線より筋押しの深さが浅いことが好ましい。このように筋押しの深さを浅くすることで、上蓋の強度を確保し易くすることができる。
【００４０】
第３折り曲げ容易線３２は、上述のように、第１折り曲げ容易線３１と同形状である。つまり、第３折り曲げ容易線３２は、図１に示すように、第１直線部３２ａと、接続部３２ｂと、第２直線部３２ｃとを左右方向一方側から他方側へこの順に連続して備える。また、第２直線部３２ｃは、第１直線部３２ａより第１蓋フラップ３の上縁側に位置する。
【００４１】
また、第３折り曲げ容易線３２は、上述のように、第１折り曲げ容易線３１と並列する。つまり、第３折り曲げ容易線３２の接続部３２ｂと第１折り曲げ容易線３１の接続部３１ｂとが上下方向に並んでいる。
【００４２】
第１折り曲げ容易線３１と第３折り曲げ容易線３２との間隔は、収容物に応じて適宜決定されるが、上記間隔の下限としては、１０ｍｍが好ましく、２０ｍｍがより好ましい。一方、上記間隔の上限としては、５０ｍｍが好ましく、４０ｍｍがより好ましい。上記間隔が上記下限未満であると、組み立てた箱体の高さが変更できる量が小さく、２本の折り曲げ容易線を設ける効果が不十分となるおそれがある。逆に、上記間隔が上記上限を超えると、第３折り曲げ容易線３２で折り曲げて使用する際、第１蓋フラップ３及び第２蓋フラップ４により形成される上蓋面が小さくなり過ぎ、当該箱用シートにより組み立てられる箱体を上下に積み重ねて使用することが困難となるおそれや、開口８が大きくなり過ぎて収容物が落下するおそれがある。
【００４３】
なお、一対の第１蓋フラップ３の第１折り曲げ容易線３１と第３折り曲げ容易線３２との間隔、及び一対の第２蓋フラップ４の第２折り曲げ容易線４１と第４折り曲げ容易線４２との間隔は全て等しくされる。当該箱用シートが上述の構成を有する第３折り曲げ容易線３２及び第４折り曲げ容易線４２を有することで、第１折り曲げ容易線３１及び第２折り曲げ容易線４１で折り曲げる場合と、第３折り曲げ容易線３２及び第４折り曲げ容易線４２とで異なる高さの箱体を組み立てることができる。従って、例えば野菜のような収容物の大きさが一定しない場合であっても、箱体の高さを変更することによって比較的容易に収容することができる。
【００４４】
＜第２蓋フラップ＞
一対の第２蓋フラップ４は、それぞれ略方形状であり、同等の大きさとされる。
【００４５】
一対の第２蓋フラップ４の高さ（延出方向の長さで、図１のｙ方向の長さ）は、特に限定されないが、シート材の利用効率の観点から、第１蓋フラップ３の高さと同等とすることが好ましい。
【００４６】
一対の第２蓋フラップ４は、一対の幅面パネル２との境界を画定する第２折り曲げ容易線４１と、第２折り曲げ容易線４１と同形状かつ並列する第４折り曲げ容易線４２とを有する。
【００４７】
第２折り曲げ容易線４１は、図１に示すように、第１直線部４１ａと、接続部４１ｂと、第２直線部４１ｃとを左右方向一方側から他方側へこの順に連続して備える。また、第２直線部４１ｃは、第１直線部４１ａより第２蓋フラップ４の上縁側に位置する。
【００４８】
第２折り曲げ容易線４１は、第１蓋フラップ３の第１折り曲げ容易線３１と同様に構成することができる。
【００４９】
第４折り曲げ容易線４２は、上述のように、第２折り曲げ容易線４１と同形状である。つまり、第４折り曲げ容易線４２は、図１に示すように、第１直線部４２ａと、接続部４２ｂと、第２直線部４２ｃとを左右方向一方側から他方側へこの順に連続して備える。また、第２直線部４２ｃは、第１直線部４２ａより第２蓋フラップ４の上縁側に位置する。
【００５０】
また、第４折り曲げ容易線４２は、上述のように、第２折り曲げ容易線４１と並列する。つまり、第４折り曲げ容易線４２の接続部４２ｂと第２折り曲げ容易線４１の接続部４１ｂとが上下方向に並んでいる。
【００５１】
第２折り曲げ容易線４１と第４折り曲げ容易線４２との間隔は、第１折り曲げ容易線３１と第３折り曲げ容易線３２との間隔と同様とできる。
【００５２】
（切欠き）
一対の第１蓋フラップ３と一対の第２蓋フラップ４とは、図１に示すように、上記一方側の端部に、上縁から基端方向に延びる切欠き９を有するとよい。
【００５３】
当該箱シートでは、上蓋を組み立てる際、第１蓋フラップ３及び第２蓋フラップ４の一方側が隣接する第２蓋フラップ４及び第１蓋フラップ３の下側に位置し、他方側が隣接する他の第２蓋フラップ４及び第１蓋フラップ３の上側に位置するように組み立てられる。一対の第１蓋フラップ３と一対の第２蓋フラップ４がこのような切欠き９を有することで、この上蓋の組立を容易に行うことができる。
【００５４】
切欠き９は、図１に示すように、台形状や三角形状とすることができる。特に、図１に示すように、少なくとも１つの切欠き９が三角形状であるとよい。上述のように上蓋を組み立てる際、第１自他フラップ３及び第２蓋フラップ４を交互に一方側の端部の上側に隣接する蓋フラップの他方側の端部が重ね合わせながら組立を行うことが一般的であるが、周回して４枚目の蓋フラップを、起点とした１枚目の蓋フラップと重ね合わせる際、上記１枚目の蓋フラップは既に折れ曲がった状態である。このため４枚目の蓋フラップの一方側の端部を１枚目の蓋フラップの他方側の端部の下方に潜り込ませる必要がある。切欠き９が三角形状であると、この作業を容易に行うことができる。
【００５５】
一方、切欠き９が大き過ぎると、上蓋を組み立てた際に隣接する蓋フラップ間の重なり面積が小さくなり、蓋フラップが開くことを十分に抑えきれなくなる。このため、切欠き９は面積が比較的小さいことが好ましく、この観点では台形状であるとよい。以上から、４つの切欠き９としては、図１に示すように、３つが台形状であり、１つが三角形状であることがより好ましい。
【００５６】
また、当該箱用シートにおいては、形状に関わらず第１蓋フラップ３の第３折り曲げ容易線３２より基端側と、第２蓋フラップ４の第４折り曲げ容易線４２より基端側は、基端側へ向かって、図１に示すように、切欠き９の幅が縮小していることが好ましい。当該箱用シートは、第３折り曲げ容易線３２及び第４折り曲げ容易線４２で折り曲げることで、図４に示すように、箱体の高さが大きい箱体を構成することができる。この場合、例えば図５に示すように、第１折り曲げ容易線３１と第３折り曲げ容易線３２との間の蓋フラップは、箱体の側面を構成するため、切欠き９のうちこの第１折り曲げ容易線３１と第３折り曲げ容易線３２との間に位置する部分が、側面に空孔を生じさせる。そこで、上述のようにこの部分の切欠き９の幅を縮小させることで、空孔の面積を削減し、この空孔から収容物が飛び出したり、落下したりすることを抑止できる。
【００５７】
＜第１底フラップ及び第２底フラップ＞
一対の第１底フラップ５及び一対の第２底フラップ６は、組み立てられる箱体の底部を閉塞可能に構成されている。
【００５８】
具体的には、第１底フラップ５は、一対の第１底フラップ５の先端縁同士を突き合わせ可能に構成され、第１底フラップ５の高さ（延出方向の長さで、図１のｙ方向の長さ）は、例えば幅面パネル２の幅の１／２とされる。これにより上記箱体の底部を閉塞できる。
【００５９】
一方、第２底フラップ６の高さは、特に限定されないが、第１底フラップ５の高さと同等とできる。
【００６０】
なお、第１底フラップ５及び第２底フラップ６の幅（図１のｘ方向の長さ）は、特に限定されないが、それぞれ延出する長さ面パネル１及び幅面パネル２の幅と同等とすることが好ましい。
【００６１】
一対の第１底フラップ５及び一対の第２底フラップ６は、組立時、それぞれ延出する長さ面パネル１及び幅面パネル２に対して直角に折り曲げられ、第２底フラップ６が内側となるように重ね合わされて箱体の底部を形成する。
【００６２】
＜糊代部＞
糊代部７は、一対の長さ面パネル１及び一対の幅面パネル２が連接されてなる帯状体の一方の側端に設けられている。糊代部７は、上記帯状体の他方の側端と当接可能に構成されている。この当接部分を上記帯状体の他方の側端に貼着することで一対の長さ面パネル１及び一対の幅面パネル２を無端状とできる。あるいは、貼着に代えてワイヤー接合等により結合してもよい。
【００６３】
＜箱体の組立方法＞
当該箱用シートを箱体に組み立てる箱体の組立方法は、四角筒状部組立工程と、底部組立工程と、蓋部組立工程とを備える。
【００６４】
（四角筒状部組立工程）
四角筒状部組立工程では、左右方向に交互に連接される一対の長さ面パネル１及び一対の幅面パネル２を四角筒状に組み立てる。
【００６５】
具体的には、以下の手順による。まず、左右方向に交互に連接される一対の長さ面パネル１及び一対の幅面パネル２のうち、一方の側端に位置する長さ面パネル１を、隣接する幅面パネル２の内面側に折り重ね、他方の側端に位置する幅面パネル２を、隣接する長さ面パネル１の内面側に折り重ねる。そして糊代部７を幅面パネル２の左右方向他方側（長さ面パネル１との連接側と反対側）の内面に貼着する。これにより、一対の長さ面パネル１及び一対の幅面パネル２が無端状に接続される。当該箱用シートは、この状態でユーザ（箱体の使用者）に提供される。幅面パネル２への糊代部７の貼着は、例えば接着剤、ステープラー等を用いて行うことができる。
【００６６】
次に、無端状に接続された一対の長さ面パネル１及び一対の幅面パネル２を四角筒状に広げる。
【００６７】
（底部組立工程）
底部組立工程では、一対の第１底フラップ５及び一対の第２底フラップ６により箱体の底部を組み立てる。
【００６８】
具体的には、以下の手順による。まず、一対の第２底フラップ６を幅面パネル２に対して直角になるように折り曲げる。次に、その外面に接するように一対の第１底フラップ５を長さ面パネル１に対して直角になるように折り曲げる。一対の第１底フラップ５は、先端縁同士を突き合わせ可能に構成されているので、この突き合わせ部に例えば封函テープを貼着することで、底部が封止される。
【００６９】
（蓋部組立工程）
蓋部組立工程では、一対の第１蓋フラップ３及び一対の第２蓋フラップ４により箱体の蓋部を組み立てる。当該箱用シートでは蓋部の組立時に折り曲げる折り曲げ容易線を選択することにより箱体の高さを基準の高さと、大きい高さとを選択することができる。
【００７０】
基準の高さとなる箱体を組み立てる際には、第１折り曲げ容易線３１及び第２折り曲げ容易線４１で、第１蓋フラップ３及び第２蓋フラップ４をそれぞれ折り曲げる。
【００７１】
図１に示す箱用シートの場合、まず最初に、側端に糊代部７が設けられている長さ面パネル１から延出する第１蓋フラップ３を第１折り曲げ容易線３１で長さ面パネル１に対して直角になるように折り曲げる。
【００７２】
次に、この糊代部７に貼着される幅面パネル２から延出する第２蓋フラップ４を第２折り曲げ容易線４１で幅面パネル２に対して直角になるように折り曲げる。これにより第２蓋フラップ４の他方側の端部が、先に折り曲げた第１蓋フラップ３の一方側の端部、つまり第１直線部３１ａで折り曲げられている部分の表面に重なる。
【００７３】
さらに、この第２蓋フラップ４の一方側に隣接する第１蓋フラップ３を同様に第１折り曲げ容易線３１で折り曲げ、この第１蓋フラップ３の他方側の端部を、先に折り曲げた第２蓋フラップ４の一方側の端部の表面に重ねる。
【００７４】
最後に、切欠き９が三角形状であり、まだ折り曲げられていない第２蓋フラップ４を第２折り曲げ容易線４１で幅面パネル２に対して直角になるように折り曲げる。この時、これにより第２蓋フラップ４の他方側の端部は、直前に折り曲げた第１蓋フラップ３の一方側の端部、つまり第１直線部３１ａで折り曲げられている部分の表面に重なる。一方、そのままでは第２蓋フラップ４の一方側の端部は、最初に折り曲げた第１蓋フラップ３の他方側の端部の表面に重なってしまうため、この第２蓋フラップ４の一方側の端部は、最初に折り曲げた第１蓋フラップ３の他方側の端部の下方に潜り込ませる。この第２蓋フラップ４の切欠き９は三角形状であるので、第１蓋フラップ３の他方側の端部の下方に潜り込ませることが容易である。従って、このように三角形状の切欠き９を有する蓋フラップが最後に折り曲げられるような順序で各蓋フラップを折り曲げるとよい。
【００７５】
大きい高さとなる箱体を組み立てる際には、第３折り曲げ容易線３２及び第４折り曲げ容易線４２で、第１蓋フラップ３及び第２蓋フラップ４をそれぞれ折り曲げる。折り曲げる手順は、折り曲げる折り曲げ容易線が異なる点を除き、基準の高さとなる箱体を組み立てる際と同様であるので、詳細説明を省略する。
【００７６】
＜利点＞
当該箱用シートは、組立時に第１折り曲げ容易線３１及び第２折り曲げ容易線４１で第１蓋フラップ３及び第２蓋フラップ４をそれぞれ折り曲げると、第１直線部３１ａ、４１ａで凹みができる。第１直線部３１ａ、４１ａの長さが上記範囲内であるので、この凹みに、隣接する第２蓋フラップ４又は第１蓋フラップ３の他方側が重なる。従って、この重なった部分が、その下側に位置する第１蓋フラップ３及び第２蓋フラップ４の第２直線部３１ｃ、４１ｃより突出することが抑止されるから、第１蓋フラップ３及び第２蓋フラップ４により構成される上蓋の平坦性が向上する。このため、当該箱用シートは、組み立てられる複数の箱体を積み重ねた際の安定性に優れる。
【００７７】
また、当該箱用シートが第３折り曲げ容易線３２及び第４折り曲げ容易線４２を有することで、第１折り曲げ容易線３１及び第２折り曲げ容易線４１で折り曲げる場合と、第３折り曲げ容易線３２及び第４折り曲げ容易線４２で折り曲げる場合とで異なる高さの箱体を組み立てることができる。従って、例えば野菜のような収容物の大きさが一定しない場合であっても、箱体の高さを変更することによって比較的容易に収容することができる。
【００７８】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００７９】
上記実施形態では、当該箱用シートが第３折り曲げ容易線及び第４折り曲げ容易線を有する場合を説明したが、第３折り曲げ容易線及び第４折り曲げ容易線は必須の構成要素ではなく、省略することが可能である。高さを変更できない箱用シートも本発明の意図するところである。
【００８０】
上記実施形態では、箱用シートが糊代部を有し、この糊代部への貼着により箱体を組み立てる構成を説明したが、箱体を組み立てる方法はこれに限定されない。例えば封函テープの貼着により構成することもできる。この場合、上記糊代部は不要とできる。
【００８１】
また、箱体の底部を形成するための具体的な構成は上記実施形態の構成に限定されるものではない。例えば当該箱用シートは、一方の長さ面パネルの下縁から延出する１つの底フラップによって底部が形成されてもよい。
【産業上の利用可能性】
【００８２】
以上のように、本考案の箱用シートは、複数を積み重ねて使用する際の安定性に優れる箱体を組み立てられる。
【符号の説明】
【００８３】
１  長さ面パネル
２  幅面パネル
３  第１蓋フラップ
３１  第１折り曲げ容易線
３１ａ  第１直線部
３１ｂ  接続部
３１ｃ  第２直線部
３２  第３折り曲げ容易線
３２ａ  第１直線部
３２ｂ  接続部
３２ｃ  第２直線部
４  第２蓋フラップ
４１  第２折り曲げ容易線
４１ａ  第１直線部
４１ｂ  接続部
４１ｃ  第２直線部
４２  第４折り曲げ容易線
４２ａ  第１直線部
４２ｂ  接続部
４２ｃ  第２直線部
５  第１底フラップ
６  第２底フラップ
７  糊代部
８  開口
９  切欠き
【図１】
0003223812.tif 000003
【図２】
0003223812.tif 000004
【図３】
0003223812.tif 000005
【図４】
0003223812.tif 000006
【図５】
0003223812.tif 000007